(57)【要約】【課題】異物の進入による演出ボタンの動作不良を防止することができる遊技機を提供する。【解決手段】支持ベース２１と装飾リング体２３の内部に演出ボタン２２を収納する収納凹所Ｓが設けられ、この演出ボタン２２の外カバー２８が装飾リング体２３の開口部２３ａとの間に確保された隙間Ｇを通って上昇位置と下降位置との間を昇降可能なパチンコ機において、隙間Ｇの底部に位置する支持ベース２１の受面２１ｃに演出ボタン２２の外壁面に沿って上方へ延びる突出壁３１が立設されているため、演出ボタン２２が収納凹所Ｓから上方へ飛び出した上昇位置にあるとき、缶飲料のプルタブやコイン等の異物ＥＢが隙間Ｇから収納凹所Ｓ内に落ち込んだとしても、その異物は受面２１ｃの下方の下側筒状部２１ａに入り込む前に突出壁３１で阻止される。【選択図】図９
2018099181.tif 000002
【特許請求の範囲】
【請求項１】
遊技者によって押下操作される演出ボタンと、前記演出ボタンを収納する収納凹所が設けられた支持ベースと、前記演出ボタンを前記収納凹所から突出する上昇位置と前記収納凹所に引き込んだ下降位置との間で昇降動作させる駆動機構とを備え、前記収納凹所の内壁面と前記演出ボタンの外壁面との間に隙間が確保されている遊技機において、
前記支持ベースの内部に前記隙間の底部に位置する環状の受面が形成されおり、前記受面に前記収納凹所の内壁面と所定の間隔を空けるように突出壁が立設されていると共に、前記突出壁が前記演出ボタンの外壁面に沿うようにして上方へ延びていることを特徴とする遊技機。
【発明の詳細な説明】
【技術分野】
【０００１】
本発明は、パチンコ機やスロットマシン等の遊技機に係り、より詳細には、遊技者によって押下入力される演出ボタンを備えた遊技機に関するものである。
【背景技術】
【０００２】
パチンコ機に代表される遊技機の中には、遊技盤の遊技領域に演出表示装置や始動入賞口やアタッカ装置等を配設し、遊技領域に向けて発射された遊技球が始動入賞口に入賞したことを契機に電子抽選を行い、その抽選結果に基づいて演出表示装置が図柄の変動表示および変動停止を行うようにした機種が数多く存在する。電子抽選の抽選結果には当たりとハズレがあり、抽選結果が当たりの場合には、演出表示装置の表示画面に特定の図柄が表示され、通常モードから特別遊技モードへと移行する。この特別遊技モードでは、アタッカ装置の開閉扉が開放動作して大入賞口を露呈させるので、露呈した大入賞口に遊技球が入りやすくなって遊技者は多くの賞球を獲得できるようになる。
【０００３】
従来より、この種のパチンコ機において、遊技者が押下可能な演出ボタンを備えたボタンユニットを機器本体の前面の所定位置、例えば遊技球を収納する受皿の周囲に配設し、電子抽選の抽選結果に基づいて演出表示装置で特定の表示演出を行う際に、遊技者に対して演出ボタンの操作を促すことにより、遊技者を演出に参加させて遊技の興趣性を高めるようにしたものが知られている（例えば、特許文献１参照）。
【０００４】
特許文献１に開示されたボタンユニットは、遊技者によって押下操作される演出ボタンと、この演出ボタンを収納する収納凹所が設けられた支持ベースと、演出ボタンを収納凹所から突出する上昇位置と収納凹所に引き込んだ下降位置との間で昇降動作させる駆動機構等を備えており、演出ボタンがスムーズに昇降動作するように、収納凹所の内壁面と演出ボタンの外壁面との間には隙間が確保されている。演出ボタンは、遊技者の押下操作により下方向へ押し下げられるボタン本体と、ボタン本体を上方向へ付勢するばね部材とを有しており、ボタン本体には係合突起が設けられている。また、駆動機構はモータを駆動源として回転するカム体を有しており、カム体の外周面には係合突起に係合可能な傾斜部と水平部が形成されている。
【０００５】
このように概略構成されたボタンユニットにおいて、通常状態では、ボタン本体の係合突起がカム体の水平部と係合しているため、ボタン本体は上方への移動が規制されており、演出ボタンは収納凹所に引き込まれた下降位置に保持されている。この状態からモータの駆動力によってカム体が一方向へ回転すると、係合突起がカム体の水平部から傾斜部へ移行するため、ボタン本体の上記規制が解除される。その結果、ボタン本体がばね部材の弾性力によって上方へ勢い良く飛び出すため、演出ボタンは収納凹所から突出した上昇位置に移動し、こうして上昇位置に突出した演出ボタンを遊技者が押し下げると、演出ボタンの押し下げを検出する検知センサの検出信号に基づいて演出の切り替え等が行われる。
【先行技術文献】
【特許文献】
【０００６】
【特許文献１】特許第５３３１２３０号公報
【発明の概要】
【発明が解決しようとする課題】
【０００７】
特許文献１に記載された従来技術のように、収納凹所の内壁面と演出ボタンの外壁面との間に隙間が確保されていると、缶飲料のプルタブやコイン等の異物が隙間の内部に落ち込んでしまうことがあり、特に、演出ボタンが下降位置から上昇位置へ移動した状態では、隙間の内底部に存する受面に接触していた演出ボタンの当接部が当該受面から離反してしまうため、隙間に落ち込んだ異物が受面を越えて収納凹所内の奥部まで入り込んでしまう虞がある。その場合、収納凹所内に入り込んだ異物によってボタン本体の正常な昇降動作が妨げられてしまい、最悪の場合は、上昇位置に突出した演出ボタンを下降位置に押し戻すことができなくなり、演出ボタンの動作不良が発生するという問題があった。
【０００８】
本発明は、このような従来技術の実情に鑑みてなされたもので、その目的は、異物の進入による演出ボタンの動作不良を防止することができる遊技機を提供することにある。
【課題を解決するための手段】
【０００９】
上記の目的を達成するために、本発明の遊技機は、遊技者によって押下操作される演出ボタンと、前記演出ボタンを収納する収納凹所が設けられた支持ベースと、前記演出ボタンを前記収納凹所から突出する上昇位置と前記収納凹所に引き込んだ下降位置との間で昇降動作させる駆動機構とを備え、前記収納凹所の内壁面と前記演出ボタンの外壁面との間に隙間が確保されている遊技機において、前記支持ベースの内部に前記隙間の底部に位置する環状の受面が形成されおり、前記受面に前記収納凹所の内壁面と所定の間隔を空けるように突出壁が立設されていると共に、前記突出壁が前記演出ボタンの外壁面に沿うようにして上方へ延びていることを特徴としている。
【００１０】
このように構成された遊技機では、演出ボタンが支持ベースの収納凹所から上方へ突出した状態にあるとき、収納凹所の内壁面と演出ボタンの外壁面間に存する隙間から缶飲料のプルタブやコイン等の異物が落ち込んだとしても、隙間の底部に位置する環状の受面に突出壁が立設されているため、隙間に落ち込んだ異物が受面を越えて収納凹所内の奥部まで入り込むことが突出壁によって阻止され、異物の進入に起因する演出ボタンの動作不良を防止することができる。
【発明の効果】
【００１１】
本発明の遊技機によれば、遊技者によって押下操作される演出ボタンが収納凹所から突出した状態にあるときに、コイン等の異物が収納凹所に落ち込んだとしても、その異物の進入による演出ボタンの動作不良を防止することができる。
【図面の簡単な説明】
【００１２】
【図１】実施形態例に係るパチンコ機の外観を示す正面図である。
【図２】該パチンコ機の外観を示す斜視図である。
【図３】該パチンコ機の背面図である。
【図４】該パチンコ機に備えられる演出操作ユニットの外観を示す斜視図である。
【図５】該演出操作ユニットの分解斜視図である。
【図６】該演出操作ユニットの平面図である。
【図７】図６から装飾リング体を取り除いた状態を示す平面図である。
【図８】該演出操作ユニットに備えられる演出ボタンの通常状態を示す断面図である。
【図９】該演出ボタンの突出状態を示す断面図である。
【発明を実施するための形態】
【００１３】
発明の実施の形態について図面を参照して説明すると、図１と図２に示すように、本発明の実施形態例に係るパチンコ機（遊技機）は、遊技場の島設備に設置される縦長方形状の機枠１と、機枠１に扉状に開閉自在に取り付けられた本体枠２と、本体枠２の前面に扉状に開閉自在に取り付けられた前面扉３等を備えており、前面扉３にはガラスやプラスチック等からなる透明板４が取り付けられている。
【００１４】
本体枠２の上部内側には遊技領域を有する遊技盤５が収納されており、この遊技盤５の遊技領域は透明板４を透して目視可能となっている。図示は省略されているが、遊技盤５の遊技領域には演出表示装置、始動入賞口、一般入賞口、アタッカー装置、遊技釘、風車、アウト口等が設けられており、遊技盤５よりも下方の本体枠２には遊技球を遊技領域に向けて発射する発射装置が配設されている。
【００１５】
前面扉３には、透明板４の上方から左側方にかかる部位を囲むように取り付けられた装飾レンズ６と、透明板４の右上方に取り付けられた回転灯ユニット７と、回転灯ユニット７の真下であって透明板４の右側方に取り付けられたサイドパネルユニット８と、透明板４の下方に位置して遊技球を収容可能な上段受皿９および下段受皿１０と、上段受皿９の前面中央に取り付けられた演出操作ユニット１１と、下段受皿１０の右側方に取り付けられて遊技球の発射操作を行うための操作ハンドル１２と、透明板４の左右下方にそれぞれ１個ずつ取り付けられたスピーカ１３とが設けられている。
【００１６】
装飾レンズ６の内部には複数のＬＥＤ（図示せず）が設けられており、これらＬＥＤが遊技の進行に伴って種々の色や発光パターンで発光するという演出が行われるようになっている。回転灯ユニット７には環状に配置した複数のＬＥＤ（図示せず）が設けられており、各ＬＥＤが配置順に点灯と消灯を繰り返すことにより、恰も回転灯が発行しているような演出を実行できるようになっている。サイドパネルユニット８は前方に向けて突出するように形成された略長方形薄板状の装飾用装置であって、この装置に内装されたデザインシート（図示せず）の視認性を高めるためのものである。
【００１７】
上段受皿９には、図示せぬ遊技球貸出装置により貸し出される遊技球や、パチンコ機の賞球払出装置から払い出される賞球が導かれるようになっており、この上段受皿９が遊技球で一杯になると、その後に貸し出されたり払い出されたりする遊技球は下段受皿１０に導かれるようになっている。操作ハンドル１２は遊技者が所定方向へ向けて回転操作できるように形成されており、遊技者が操作ハンドル１２を回転操作すると、上段受皿９に受容されている遊技球が前述した発射装置に送られ、この発射装置により操作ハンドル１２の回転角度に応じた強度で遊技球が発射されるようになっている。演出操作ユニット１１は遊技球の進行に伴って実行される演出の切り替え等を行うための演出操作装置であり、その構成や動作については後ほど詳細に説明する。
【００１８】
図３に示すように、このパチンコ機の背面側には、遊技に関する主要な処理を行う主制御基板１４と、主制御基板１４からの指令を受けて演出表示装置やスピーカ１３等の各種装置を制御する副制御基板１５と、前述した賞球払出装置１６と、主制御基板１４からの指令を受けて賞球払出装置１６を制御する払出制御基板１７と、操作ハンドル１２の回転操作量に応じて発射装置の作動を制御する発射制御基板１８と、大当たり回数等の各種情報を遊技場のホールコンピュータに出力する外部端子基板１９等が設けられている。主制御基板１４には、ＣＰＵ（Central Processing Unit）と、予め定められた制御プログラムを格納するＲＯＭ（Read Only Memory）と、生成された処理情報の一時記憶および記憶した情報の削除を行うＲＡＭ（Random Access Memory）等が実装されており、このＣＰＵがＲＯＭに格納された各種プログラムやデータを読み込んで実行することにより、遊技に関する主要な処理が行われる。
【００１９】
本実施形態例に係るパチンコ機では、発射装置により発射されて遊技盤５の遊技領域を流下する遊技球が一般入賞口または始動入賞口に入球すると、所定個数の遊技球が賞球として払い出される。また、遊技球が始動入賞口に入球した場合には、アタッカー装置が開放される特別遊技を実行させるか否かを決定する大当たりの電子抽選が行われる。そして、この電子抽選によって大当たりに当選すると、アタッカー装置が開放する特別遊技が実行される。
【００２０】
前述した演出操作ユニット１１は、遊技者による押下操作と回転操作が可能に形成されており、演出の実行中における操作有効時間内に押下操作や回転操作がなされると、実行中の演出の切り替え等が行われるようになっている。以下、図４〜図９を参照して演出操作ユニット１１の構成について詳細に説明する。
【００２１】
演出操作ユニット１１は、上段受皿９の前面中央に取り付けられる取付基体２０と、取付基体２０の上側に設けられて各種部材を収納および取付可能な支持ベース２１と、支持ベース２１内に収納される演出ボタン２２と、支持ベース２１を覆う装飾リング体２３等によって主として構成されている。支持ベース２１は取付基体２０を軸心として常態の位置から反時計回りに所定角度回転可能となっており、支持ベース２１に対する回転操作や演出ボタン２２に対する押下操作がなされることにより、上述した演出の切り替え等が行われる。
【００２２】
支持ベース２１は合成樹脂を用いて形成された成形品であり、図５に示すように、支持ベース２１は、取付基体２０と同径の下側筒状部２１ａと、下側筒状部２１ａよりも大径の上側筒状部２１ｂとを上下に連接して構成され、これら下側筒状部２１ａと上側筒状部２１ｂは上方に向けて開口している。上側筒状部２１ｂの底面には環状の受面２１ｃが形成されており、この受面２１ｃを介して下側筒状部２１ａの上端と上側筒状部２１ｂの下端が段付き状に連続している。また、上側筒状部２１ｂの上端外周部には外方へ向けて突出する取付部２１ｄが形成されており、この取付部２１ｄには支持ベース２１に振動を付与するための振動モータ２４が搭載されている。
【００２３】
装飾リング体２３は支持ベース２１の開口を上方から覆う蓋部材であり、その中央に円形状の開口部２３ａが形成されている。装飾リング体２３は図示せぬネジを用いて支持ベース２１に一体化されており、これら支持ベース２１と装飾リング体２３の内部に演出ボタン２２を収納する収納凹所Ｓが画成されている。装飾リング体２３の外周部にはグリップ部２３ｂが突設されており、このグリップ部２３ｂを把持した状態で支持ベース２１の回転操作が行われる。なお、取付基体２０には支持ベース２１の回転を検出可能な回転検知センサ（図示せず）が設けてあり、この回転検知センサが支持ベース２１の回転を検出することで演出の切り替え等が行われる。
【００２４】
演出ボタン２２は、支持ベース２１に取り付けられるボタン本体２５と、ボタン本体２５の上端部に取り付けられるＬＥＤ基板２６と、ＬＥＤ基板２６を内包する内カバー２７と、内カバー２７を覆う外カバー２８とを備えており、これら各部材は１つの部品として取り扱えるようにユニット化されている。
【００２５】
ボタン本体２５は、支持ベース２１の下側筒状部２１ａ内に収納されるボタン基部２５ａと、一対の支柱２５ｂによってボタン基部２５ａの上方の所定高さ位置に支持された台座部２５ｃと、ボタン基部２５ａの上端部に配置された略円環形状の押下板２５ｄ等を有しており、この押下板２５ｄに内カバー２７と外カバー２８が支持されている。なお、ボタン基部２５ａの下方部（駆動機構）は、環状の受面２１ｃにおける中央空間ＣＵから下側筒状部２１ａの内部（収納凹所Ｓの下方）へと挿入して配設可能としている。
【００２６】
押下板２５ｄは、上側筒状部２１ｂの底面に形成された受面２１ｃの内径（下側筒状部２１ａの開口径）よりも幾分大きめに形成されており、図示せぬスプリングの弾性力によって上方へ付勢されている。常態において、押下板２５ｄは、ボタン基部２５ａの上端部よりもやや上方に位置し、ボタン基部２５ａに当接するまで押し下げることができるようになっている。ここで、ボタン基部２５ａの内部には、押下板２５ｄが常態の位置から押し下げられたことを検出可能な押下検知センサ（図示せず）が設けてあり、この押下検知センサが押下板２５ｄの押し下げを検出することで演出の切り替え等が行われる。
【００２７】
ボタン基部２５ａには、押下板２５ｄを常態の位置と台座部２５ｃの高さ位置との範囲内で昇降させるための駆動機構が収納されている。この駆動機構は、ボタン基部２５ａの内底部に配設されたモータ２９と、モータ２９を駆動源として回転するカム体３０等によって構成されており、特に図示していないが、押下板２５ｄに設けられた係合突起がカム体３０の外周面に形成された傾斜部と水平部に係合可能となっている。通常状態では、押下板２５ｄの係合突起がカム体３０の水平部と係合することで、押下板２５ｄは上方への移動が規制されているため、押下板２５ｄ上に支持された内カバー２７と外カバー２８は下降位置に保持されている。この状態からモータ２９によってカム体３０が一方向へ回転すると、係合突起がカム体３０の水平部から傾斜部へ移行するため、押下板２５ｄの上記規制が解除される。その結果、押下板２５ｄがスプリングの弾性力によって上方へ勢い良く飛び出すため、内カバー２７と外カバー２８は下降位置から上昇位置へと移動する。
【００２８】
ＬＥＤ基板２６は台座部２５ｃに固定されており、このＬＥＤ基板２６上には複数のＬＥＤ３２が実装されている。内カバー２７と外カバー２８は、無色または有色透明の樹脂により形成された下向きに開口する略円筒形状の蓋部材であり、内カバー２７は台座部２５ｃを収納した状態で押下板２５ｄに取り付けられ、外カバー２８は内カバー２７に装着されている。また、内カバー２７の天板には文字や図形等の装飾が施されており、この装飾はＬＥＤ３２から照射される光によって発光可能であると共に、外カバー２８の天板を透して目視できるようになっている。
【００２９】
このような構成の演出ボタン２２は、支持ベース２１と装飾リング体２３の内部に設けられた収納凹所Ｓに収納され、上述した駆動機構により、図８に示す収納凹所Ｓに引き込まれた下降位置と、図９に示す収納凹所Ｓから突出する上昇位置との間を昇降動作する。
【００３０】
ここで、収納凹所Ｓの上端に配置された装飾リング体２３の開口部２３ａ内を筒状の演出ボタン２２の外カバー２８が上下動するため、図６に示すように、開口部２３ａの上方の内壁面２３ｄと外カバー２８の外壁面との間には両者の接触を回避するための環状の隙間Ｇが確保されている。上述した支持ベース２１の環状の受面２１ｃは、この隙間Ｇの底部に位置していると共に中央空間ＣＵを形成するようにしてあり、図８と図９に示すように、下降位置において演出ボタン２２の外壁面の下端部２５ｅと近接する受面２１ｃの中央内周部２１ｆ、または当該中央内周部２１ｆに沿う複数箇所から押下板２５ｄ（演出ボタン２２の外壁面の下端部２５ｅ）を囲むようにすると共に、押下板２５ｄと近接対向するようにして上方へ延びる突出壁３１が形成されている。なお、図８と図９は図６と図７のＡ−Ａ線に沿う位置に対応する断面図である。
【００３１】
図７に示すように、突出壁３１は、外カバー２８の外壁面に沿って点在する複数の柱状部３１ｂと、これら柱状部３１ｂを介して周方向に連続する薄肉状リブ３１ａとからなり、柱状部３１ｂの直径は薄肉状リブ３１ａの厚みに比べて十分に大きめに設定されている。本実施形態例の場合、上側筒状部２１ｂの内周面や押下板２５ｄの外周面に収納凹所Ｓの方向へ突出する部分（例えば、図７の符号Ｂで示す箇所）が形成されている関係上、突出壁３１は突出部分を避けるように周方向に分断した状態で形成されているが、演出ボタン２２の外観形状によっては突出壁３１を円環状に連続形成するようにしても良い。また、柱状部３１ｂは、薄肉状リブ３１ａの機械的強度を高めるという機能だけでなく、合成樹脂製の支持ベース２１を射出成形する際のイジェクトピンの受け部としての機能を併せ持っている。ただし、支持ベース２１の他の部分にイジェクトピンの受け部を設定することができる場合は、柱状部３１ｂを省略して薄肉状リブ３１ａだけで突出壁３１を形成するようにしても良い。
【００３２】
なお、突出壁３１は、演出ボタン２２が下降位置から上昇位置へ突出する高さ範囲に基づいて、受面２１ｃの中央内周部２１ｆから起立する薄肉状リブ３１ａとなるように形成されており、押下板２５ｄ（演出ボタン２２の外壁面の下端部２５ｅ）の周囲に沿うようにして収納凹所Ｓの下方の内壁面２１ｅとの間に所定の間隙Ｇ３を形成可能としている。この間隙Ｇ３に基づいて、隙間Ｇを通って収納凹所Ｓに進入した異物（缶飲料のプルタブやコイン等）ＥＢを滞在可能とする断面凹状の空間が画成されるため、異物ＥＢが下側筒状部２１ａの内部（収納凹所Ｓの下方）へ進入することが抑制されている。ここで、突出壁３１の高さ寸法は特に限定されないが、上昇位置においても突出壁３１の上端が演出ボタン２２の外壁面の下端部２５ｅと近接する程度まで長くすると、異物ＥＢが下側筒状部２１ａの内部に進入することを抑制する効果がより顕著となって好ましい。
【００３３】
このように構成された演出操作ユニット１１において、通常状態では、演出ボタン２２の押下板２５ｄは上方への移動が規制されているため、図８に示すように、演出ボタン２２は収納凹所Ｓに引き込まれた下降位置に保持されている。このとき、押下板２５ｄは上側筒状部２１ｂの受面２１ｃに近接した位置で停止しており、外カバー２８の上端部が装飾リング体２３の開口部２３ａから露出している。なお、この下降位置では、演出ボタン２２の構成部材である押下板２５ｄの外壁面の下端部２５ｅと受面２１ｃの中央内周部２１ｆが互いに近接または部分的に重畳する対向状態となることに基づいて、隙間Ｇを通って収納凹所Ｓに進入した異物（缶飲料のプルタブやコイン等）ＥＢがさらに下側筒状部２１ａの内部（収納凹所Ｓの下方）へ進入することを抑制する隙間埋めとなる空隙制限部Ｇ２が形成されている。
【００３４】
この状態からモータ２９によってカム体３０が一方向へ回転すると、押下板２５ｄに設けられた係合突起がカム体３０の水平部から傾斜部へ移行するため、押下板２５ｄがスプリングの弾性力によって上方へ勢い良く飛び出す。その結果、図９に示すように、演出ボタン２２は収納凹所Ｓから上方へ飛び出した上昇位置へと移動し、それに伴って押下板２５ｄが受面２１ｃの上方へ大きく離反する。そして、上昇位置に突出した演出ボタン２２の外カバー２８を遊技者が押し下げると、押下板２５ｄがスプリングの弾性力に抗して下降し、押下板２５ｄが常態の位置から押し下げられたことを検知センサが検出すると、その検出信号に基づいて演出の切り替え等が行われる。
【００３５】
ここで、装飾リング体２３の開口部２３ａと外カバー２８との間に隙間Ｇが確保されているため、演出ボタン２２が収納凹所Ｓから上方へ飛び出した上昇位置にあるとき、缶飲料のプルタブやコイン等の異物が隙間Ｇから収納凹所Ｓ内に落ち込んでしまうことがある。その場合、隙間Ｇの底部に位置する環状の受面２１ｃに演出ボタン２２の外壁面に沿って上方へ延びる突出壁３１が立設されているため、押下板２５ｄが受面２１ｃから離反して上方に移動していても、収納凹所Ｓ内に落ち込んだ異物は受面２１ｃの下方に入り込む前に突出壁３１で阻止され、異物の進入に起因する演出ボタン２２の動作不良を防止することができる。
【００３６】
また、演出ボタン２２が図９に示す上昇位置へ移動した後、モータ２９の駆動によりカム体３０がさらに一方向へ回転すると、押下板２５ｄに設けられた係合突起がカム体３０の傾斜部に沿って水平部へと移行するため、図８に示すように、演出ボタン２２は再び収納凹所Ｓに引き込まれた下降位置に戻る。
【００３７】
なお、本実施形態例に係るパチンコ機では、支持ベース２１に対する回転操作や演出ボタン２２に対する押下操作を遊技者に行わせる際に、振動モータ２４が作動して支持ベース２１を振動させるようになっている。ここで、支持ベース２１に対する回転操作を行うにあたり遊技者に把持させるグリップ部２３ｂや、演出ボタン２２に対する押下操作を行うにあたり遊技者に押下させる外カバー２８は、いずれも支持ベース２１に取り付けられているため、支持ベース２１が振動することによってグリップ部２３ｂや外カバー２８にも振動が伝わることになる。したがって、支持ベース２１に対する回転操作や演出ボタン２２に対する押下操作を行う遊技者に対して振動の発生を認識させることができ、演出効果をより一層高めることができるようになっている。
【００３８】
以上説明したように、本実施形態例に係るパチンコ機（遊技機）では、支持ベース２１と装飾リング体２３の内部に演出ボタン２２を収納する収納凹所Ｓが設けられており、この演出ボタン２２の外カバー２８が装飾リング体２３の開口部２３ａとの間に確保された隙間Ｇを通って上昇位置と下降位置との間を昇降可能であると共に、隙間Ｇの底部に位置する支持ベース２１の受面２１ｃに演出ボタン２２の外壁面に沿って上方へ延びる突出壁３１が立設されている。このため、演出ボタン２２が収納凹所Ｓから上方へ飛び出した上昇位置にあるとき、缶飲料のプルタブやコイン等の異物ＥＢが隙間Ｇから収納凹所Ｓ内に落ち込んだとしても、その異物ＥＢが受面２１ｃの下方の下側筒状部２１ａに入り込む前に突出壁３１で阻止され、異物ＥＢの進入に起因する演出ボタン２２の動作不良を防止することができる。
【００３９】
また、本実施形態例では、合成樹脂製の支持ベース２１の受面２１ｃに形成された突出壁３１が、受面２１ｃの複数箇所に立設された複数の柱状部３１ｂと、これら柱状部３１ｂを介して周方向に連続する薄肉状リブ３１ａとからなり、柱状部３１ｂの直径が薄肉状リブ３１ａの厚みに比べて十分に大きめに設定されているため、柱状部３１ｂによって突出壁３１全体の機械的強度を高めることができるだけでなく、支持ベース２１を射出成形する際に柱状部３１ｂをイジェクトピンの受け部として機能させることができる。
【００４０】
なお、上記実施形態例では、係合突起を有する押下板２５ｄや、係合突起に係合可能な傾斜部と水平部を有するカム体３０や、このカム体３０を回転駆動するモータ２９等によって、演出ボタン２２を昇降動作させる駆動機構が構成されているが、他の構成の駆動機構を用いて演出ボタン２２を昇降動作させるようにしても良い。
【００４１】
また、上記実施形態例では、遊技者による押下操作と回転操作が可能に形成された演出操作ユニット１１について説明したが、遊技者による押下操作のみが可能な演出操作ユニットであっても良い。
【００４２】
さらに、上記実施形態例では、本発明による演出操作ユニット１１をパチンコ機に適用した場合について説明したが、スロットマシン等の他の遊技機に適用することも可能である。
【符号の説明】
【００４３】
１  機枠
２  本体枠
３  前面扉
１１  演出操作ユニット
２０  取付基体
２１  支持ベース
２１ａ  下側筒状部
２１ｂ  上側筒状部
２１ｃ  受面
２１ｄ  取付部
２１ｆ  中央内周部
２２  演出ボタン
２３  装飾リング体
２３ａ  開口部
２３ｂ  グリップ部
２５  ボタン本体
２５ａ  ボタン基部    
２５ｂ  支柱
２５ｃ  台座部
２５ｄ  押下板
２６  ＬＥＤ基板
２７  内カバー
２８  外カバー
２９  モータ
３０  カム体
３１  突出壁
３１ａ  薄肉状リブ
３１ｂ  柱状部
Ｓ  収納凹所
Ｇ  隙間
ＥＢ  異物
【図１】
2018099181.tif 000003
【図２】
2018099181.tif 000004
【図３】
2018099181.tif 000005
【図４】
2018099181.tif 000006
【図５】
2018099181.tif 000007
【図６】
2018099181.tif 000008
【図７】
2018099181.tif 000009
【図８】
2018099181.tif 000010
【図９】
2018099181.tif 000011